(57)【要約】  本発明は、例えば移動体電話などの移動体端末（ＭＴ）に接続するように構成された例えばラップトップなどの端末装置（ＴＥ）によって開始される、移動体端末（ＭＴ）を介してＰＤＰコンテキストを起動する方法に関する。従来、移動体端末を介したＰＤＰコンテキストのそのような起動は、端末装置のユーザに対し、極めて特殊な知識を有することを要求していた。極めて特殊な知識とは、例えば、ＧＰＲＳによって定義された特別な予約番号や、接続先の特別なＡＰＮを特定するための追加の数字（接続ＩＤ）などである。本発明は、移動体端末（ＭＴ）が端末装置（ＴＥ）からの起動トリガーを待ち受けるように構成され、且つ起動トリガーを受信すると起動を実行するように構成されているという点で、そのような起動を実行するユーザフレンドリーな方法を提供する。本発明は更に、移動体端末にも関連する。
2008511222.tif 000002
【特許請求の範囲】
【請求項１】
移動体端末（ＭＴ）に接続するように構成された端末装置（ＴＥ）によって開始される、前記移動体端末（ＭＴ）を介してＰＤＰ（パケット・データ・プロトコル）コンテキストを起動する方法であって、前記移動体端末（ＭＴ）はパケットベースの無線通信ネットワークに接続するように構成されており、前記方法は、
（ａ）移動体端末（ＭＴ）において、前記端末装置（ＴＥ）からの前記ＰＤＰコンテキストを起動するという要求を示す起動トリガーを、前記端末装置（ＴＥ）から待ち受けるステップ（１２０）と、
（ｂ）前記端末装置（ＴＥ）からの起動トリガーを検出すると（１３０）、前記移動体端末（ＭＴ）において、ＰＤＰコンテキストを起動するか否かを決定し、起動する場合、どのＰＤＰコンテキストを起動するかを決定するステップ（１４０，１５０）と、
（ｃ）ＰＤＰコンテキストを起動することが決定された場合、前記移動体端末（ＭＴ）から前記パケットベースの無線通信ネットワークにおけるサポートノードへＰＤＰコンテキスト起動要求メッセージを送信するステップ（１６０）と、
を含むことを特徴とする方法（１００；１００’）。
【請求項２】
前記起動トリガーは、
前記端末装置（ＴＥ）が前記移動体端末（ＭＴ）への接続を生成すること、
前記端末装置（ＴＥ）が前記移動体端末（ＭＴ）へＤＨＣＰ  ＤＩＳＣＯＶＥＲメッセージを送信すること、及び
前記端末装置（ＴＥ）がルータ要請を送信すること
のうちのいずれかを含むことを特徴とする請求項１に記載の方法（１００；１００’）。
【請求項３】
前記ステップ（ｂ）は、ＰＤＰコンテキストを起動するか否か、及びどのＰＤＰコンテキストを起動するかのうちの少なくとも一方に関するユーザ入力のために問い合わせるステップを含むことを特徴とする請求項１又は２に記載の方法（１００；１００’）。
【請求項４】
前記ステップ（ｂ）は、予め定義されたＰＤＰコンテキストを起動するように決定するステップを含むことを特徴とする請求項１又は２に記載の方法（１００；１００’）。
【請求項５】
（ｄ）前記移動体端末（ＭＴ）において、前記パケットベースの無線通信ネットワークにおける前記サポートノードからＰＤＰコンテキスト起動応答メッセージを受信するステップ（１８０）
を更に含むことを特徴とする請求項１乃至４のいずれか１項に記載の方法（１００；１００’）。
【請求項６】
前記ＰＤＰコンテキスト起動応答メッセージは、前記ＰＤＰコンテキストに関係するパケット・データ・ネットワーク（ＰＤＮ）に前記端末装置（ＴＥ）が接続するための設定パラメータを含むことを特徴とする請求項５に記載の方法（１００；１００’）。
【請求項７】
（ｅ）前記移動体端末（ＭＴ）において終了トリガーを受信すると、前記移動体端末（ＭＴ）において前記ＰＤＰコンテキストを終了するステップ（２００）
を更に含むことを特徴とする請求項１乃至６のいずれか１項に記載の方法（１００；１００’）。
【請求項８】
前記終了トリガーは、
前記端末装置（ＴＥ）が前記移動体端末（ＭＴ）への前記接続を終了すること、
前記端末装置（ＴＥ）が前記移動体端末（ＭＴ）へＤＨＣＰ  ＲＥＬＥＡＳＥメッセージを送信すること、及び
前記端末装置（ＴＥ）の前記パケット・データ・ネットワーク（ＰＤＮ）への前記接続のための前記設定パラメータに関するリース時間が満了すること
のうちのいずれかを含むことを特徴とする請求項７に記載の方法（１００；１００’）。
【請求項９】
端末装置（ＴＥ）に接続するように構成され、且つパケットベースの無線通信ネットワークに接続するように構成された移動体端末（ＭＴ）であって、
（ａ）前記端末装置（ＴＥ）からの前記ＰＤＰコンテキストを起動するという要求を示す起動トリガーを、前記端末装置（ＴＥ）から待ち受けるように構成された待ち受け手段（３０）と、
（ｂ）前記端末装置（ＴＥ）からの起動トリガーを検出すると、ＰＤＰコンテキストを起動するか否かを決定し、起動する場合、どのＰＤＰコンテキストを起動するかを決定するように構成された決定手段（４０）と、
（ｃ）ＰＤＰコンテキストを起動することが決定された場合、前記移動体端末（ＭＴ）から前記パケットベースの無線通信ネットワークにおけるサポートノードへＰＤＰコンテキスト起動要求メッセージを送信するように構成された送信機（５０）と、
を備えることを特徴とする移動体端末（ＭＴ）。
【請求項１０】
前記起動トリガーは、
前記端末装置（ＴＥ）が前記移動体端末（ＭＴ）への接続を生成すること、
前記端末装置（ＴＥ）が前記移動体端末（ＭＴ）へＤＨＣＰ  ＤＩＳＣＯＶＥＲメッセージを送信すること、及び
前記端末装置（ＴＥ）がルータ要請を送信すること
のうちのいずれかを含むことを特徴とする請求項９に記載の移動体端末（ＭＴ）。
【請求項１１】
前記決定手段（４０）は、ＰＤＰコンテキストを起動するか否か、及びどのＰＤＰコンテキストを起動するかのうちの少なくとも一方に関するユーザ入力のために問い合わせるように構成されたことを特徴とする請求項９又は１０に記載の移動体端末（ＭＴ）。
【請求項１２】
前記決定手段（４０）は、予め定義されたＰＤＰコンテキストを起動するように決定するように構成されたことを特徴とする請求項９又は１０に記載の移動体端末（ＭＴ）。
【請求項１３】
前記パケットベースの無線通信ネットワークにおける前記サポートノードからＰＤＰコンテキスト起動応答メッセージを受信するように構成された受信機（６０）を更に備えることを特徴とする請求項９乃至１２のいずれか１項に記載の移動体端末（ＭＴ）。
【請求項１４】
前記ＰＤＰコンテキスト起動応答メッセージは、前記ＰＤＰコンテキストに関係するパケット・データ・ネットワーク（ＰＤＮ）に前記端末装置（ＴＥ）が接続するための設定パラメータを含むことを特徴とする請求項１３に記載の移動体端末（ＭＴ）。
【請求項１５】
前記移動体端末（ＭＴ）において終了トリガーを受信すると、前記移動体端末（ＭＴ）において前記ＰＤＰコンテキストを終了するように構成された終了手段（７０）を更に備えることを特徴とする請求項９乃至１４のいずれか１項に記載の移動体端末（ＭＴ）。
【請求項１６】
前記終了トリガーは、
前記端末装置（ＴＥ）が前記移動体端末（ＭＴ）への前記接続を終了すること、
前記端末装置（ＴＥ）が前記移動体端末（ＭＴ）へＤＨＣＰ  ＲＥＬＥＡＳＥメッセージを送信すること、及び
前記端末装置（ＴＥ）の前記パケット・データ・ネットワーク（ＰＤＮ）への前記接続のための前記設定パラメータに関するリース時間が満了すること
のうちのいずれかを含むことを特徴とする請求項１５に記載の移動体端末（ＭＴ）。
【発明の詳細な説明】
【技術分野】
【０００１】
本発明は、移動体端末に接続するように構成された端末装置によって開始される、移動体端末を介してＰＤＰコンテキストを起動する方法であって、移動体端末がパケットベースの無線通信ネットワークに接続するように構成されている方法に関する。本発明は更に、端末装置に接続するように構成され、且つパケットベースの無線通信ネットワークに接続するように構成された移動体端末に関する。
【背景技術】
【０００２】
セルラネットワーク以外のデータネットワークにおいては、端末装置をデータネットワークに接続させるための普及している標準は、イーサネット（登録商標）技術によるものである。端末装置における、ＩＰアドレス及び他のパラメータの設定のために使用される通常のメカニズムは、ダイナミック・ホスト・コンフィギュレーション・プロトコル（ＤＨＣＰ）である。ブルートゥース（登録商標）によって相互接続される無線ネットワークにおいては、ブルートゥース（登録商標）のパーソナル・エリア・ネットワーク（ＰＡＮ）のプロファイル、及びブルートゥース（登録商標）・ネットワーク・エンカプセレーション・プロトコル（ＢＮＥＰ）がイーサネット（登録商標）をエミュレートすることになり、端末装置は、設定のためにＤＨＣＰを使用し、且つ接続のためにＩＰを使用することが可能となる。
【０００３】
例えばラップトップや携帯情報端末（ＰＤＡ）などの端末装置を、例えばインターネットなどのパケット・データ・ネットワークに接続することは、パケットベースの無線通信ネットワーク（例えば、ＧＰＲＳ（汎用パケット無線サービス）ネットワーク）に接続する例えば移動体電話などの移動体端末（ＭＴ）の仲介によって達成可能である。
【０００４】
現在、端末装置と移動体端末との間の接続は、端末装置が移動体端末へのＰＰＰ（ポイント・ツー・ポイント・プロトコル）リンクを起動することにより、達成される。端末装置と移動体端末との間でブルートゥース（登録商標）が使用される場合、シリアル接続及びその接続上でのＰＰＰをエミュレートするために、ダイヤルアップのプロファイルが使用される。
【０００５】
移動体端末が接続しようとするパケットベースの無線通信ネットワークがＧＰＲＳ（汎用パケット無線サービス）ネットワークである場合、端末装置は、例えばインターネットや企業内ネットワークなどのパケット・データ・ネットワーク（ＰＤＮ）における様々なネットワークポイントに接続できる。
【０００６】
セルラネットワークに接続するために移動体端末を使用する目的で端末装置が移動体端末へのＰＰＰリンクを起動する場合、移動体端末は、どのＡＰＮ（アクセスポイント名）が対象であり、そして、続いてどのＰＤＰ（パケット・データ・プロトコル）が起動するかを、知っていなければならない。現在、これらは、起動するコンテキストに関連する特別な予約番号を端末装置が指定することにより示される。このとき、１つの数字、即ち接続ＩＤ（ＣＩＤ）が、予め定義されたＡＰＮのどれか、及び、移動体端末のために起動する対応するＰＤＰコンテキストを指定する。
【０００７】
端末装置がＣＩＤを省略しても構わない下位互換モードが知られており、これにより、移動体端末は既定のＰＤＰコンテキストを起動する。
【０００８】
従って、端末装置が移動体端末を介してＰＤＮに接続するためには、端末装置がＰＰＰをサポートすることが必要である。更に、移動体端末が例えば企業内ＬＡＮに接続する場合、端末装置は、デファクトスタンダードであるイーサネット（登録商標）及びＤＨＣＰのソリューションもサポートしていなければならない。端末装置は更に、パケットベースの無線通信ネットワークによって定義される特別な予約番号を指定するように構成されていなければならない。これは、エンドユーザの間では、一般的で周知な事実ではない。
【０００９】
更に、上述の下位互換モードが不可能な場合、端末装置は、接続先として望まれるＡＰＮに対応するＣＩＤを含まなければならない。ＣＩＤに関する知識は、移動体端末において一覧表示されるデータアカウント(data accounts)を読むことにより取得できる。しかしながら、このことによって、エンドユーザは多数のステップを踏むことを要求され、移動体端末は種類ごとに異なるように機能する。それゆえ、このコンセプトは、大部分のユーザにとってあまりにも困難なものとなる。
【００１０】
最後に、端末装置は、どのＡＰＮを起動するかに関するユーザ入力を受信可能でなければならない。どのＡＰＮを起動するかを指定する番号（この番号は、移動体端末におけるＡＰＮのリストと同期している）が端末装置に事前に設定されていない限り、エンドユーザは、起動するＡＰＮを選択することに関与しなければならない。それゆえ、端末装置は、この番号に関するエンドユーザからの入力を受信可能でなければならない。端末装置が、極めて限定的な入出力機能しか備えないデバイスである場合、エンドユーザは、この番号を入力することができないであろう。それゆえ、端末装置は、パケットベースの無線通信ネットワークを使用することができない。
【発明の開示】
【課題を解決するための手段】
【００１１】
本発明の目的は、端末装置によって開始されるＰＤＰコンテキストを移動体端末を介して起動する方法であって、上述の欠点を被らない方法を提供することである。
【００１２】
これは、冒頭の段落に記載された発明が以下のステップを含むことを特徴とする場合に達成される。即ち、（ａ）移動体端末（ＭＴ）において、端末装置（ＴＥ）からのＰＤＰコンテキストを起動するという要求を示す起動トリガーを、端末装置（ＴＥ）から待ち受けるステップと、（ｂ）端末装置（ＴＥ）からの起動トリガーを検出すると、移動体端末（ＭＴ）において、ＰＤＰコンテキストを起動するか否かを決定し、起動する場合、どのＰＤＰコンテキストを起動するかを決定するステップと、（ｃ）ＰＤＰコンテキストを起動することが決定された場合、移動体端末（ＭＴ）からパケットベースの無線通信ネットワークにおけるサポートノードへＰＤＰコンテキスト起動要求メッセージを送信するステップとを含む。
【００１３】
ここで、端末装置（ＴＥ）は、パケットベースの無線通信ネットワークに対する端末装置（ＴＥ）におけるサポートが何ら要求されること無く、例えばＧＰＲＳやＵＭＴＳなどのパケットベースの無線通信ネットワークに移動体端末（ＭＴ）を介して接続することができる。従って、端末装置（ＴＥ）は、パケットベースの無線通信ネットワークに接続するために、標準プロトコル、即ち（例えばブルートゥース（登録商標）のＰＡＮプロファイルを使用してエミュレートされた）イーサネット（登録商標）及びＤＨＣＰを使用することができる。従って、更に、端末装置は、ＧＰＲＳがパケット指向であるという理由で有利なことであるが、パケット指向の接続の仲介により、例えばＧＰＲＳのようなパケットベースの無線通信ネットワークに接続することができる。従って、ＡＰＮ又は起動するＰＤＰコンテキストに関連する、いかなる予約番号、いかなる特別な電話番号、或いは移動体端末（ＭＴ）内に設定されるデータアカウントに関しても、端末装置（ＴＥ）のエンドユーザは知っていることを要求されないという点で、そのような接続を得る際の操作性が大幅に向上する。要約すれば、端末装置（ＴＥ）は、いかなる専用の設定或いはソフトウェアも無しに、例えばインターネットのようなネットワークアクセスとしてパケットベースの無線通信ネットワークを使用することができる。
【００１４】
好適には、起動トリガーは、端末装置（ＴＥ）が移動体端末（ＭＴ）への接続を生成すること、端末装置（ＴＥ）が移動体端末（ＭＴ）へＤＨＣＰ  ＤＩＳＣＯＶＥＲメッセージを送信すること、及び端末装置（ＴＥ）がルータ要請を送信することのうちのいずれかを含む。上述の起動トリガーの例は、ユーザの関与を最小限しか要求しないという点で、特にユーザフレンドリーである。端末装置（ＴＥ）と移動体端末（ＭＴ）との間の接続は、好適には、ブルートゥース（登録商標）のＢＮＥＰ接続でよい。しかしながら、例えば赤外線、ＵＳＢ、或いはＷＬＡＮのような他の可能性も考慮できる。
【００１５】
好適な実施形態において、本発明の方法のステップ（ｂ）は、ＰＤＰコンテキストを起動するか否か、及び（もしあれば）どのＰＤＰコンテキストを起動するかのうちの少なくとも一方に関するユーザ入力のために問い合わせるステップを含む。従って、移動体端末（ＭＴ）は、エンドユーザの要求に適合するように構成され得る。移動体端末（ＭＴ）は、例えば、特定の端末装置（ＴＥ）からトリガーを受信すると既定のＰＤＰコンテキストを自動的に起動するように構成されてもよいし、ＰＤＰコンテキストを起動するかそれとも端末装置（ＴＥ）からのトリガーを無視するかをユーザに問い合わせるように構成されてもよいし、或いは、可能なＰＤＰコンテキストのリスト中のどのＰＤＰコンテキストを起動するかをユーザに問い合わせるように構成されてもよい。
【００１６】
本発明に従う方法の他の好適な実施形態においては、本発明に従う方法のステップ（ｂ）は、予め定義されたＰＤＰコンテキストを起動するように決定するステップを含む。このことは、ＰＤＰコンテキストに関して特に高速な起動をもたらす。
【００１７】
好適には、本発明に従う方法は、（ｄ）移動体端末（ＭＴ）において、パケットベースの無線通信ネットワークにおけるサポートノードからＰＤＰコンテキスト起動応答メッセージを受信するステップを更に含む。また、好適には、本発明に従う方法は、ＰＤＰコンテキスト起動応答メッセージは、ＰＤＰコンテキストに関係するパケット・データ・ネットワーク（ＰＤＮ）に端末装置（ＴＥ）が接続するための設定パラメータを含むことを特徴とする。この結果、ＰＤＰコンテキストの起動に必要なステップは、最小限のユーザの関与で実行可能である。
【００１８】
好適には、本方法は、（ｅ）移動体端末（ＭＴ）において終了トリガーを受信すると、移動体端末（ＭＴ）においてＰＤＰコンテキストを終了するステップを更に含む。この結果、ＰＤＰコンテキストは、それほど多くのユーザの関与無しに、ユーザフレンドリーな方法で終了可能である。
【００１９】
本方法の好適な実施形態において、終了トリガーは、端末装置（ＴＥ）が移動体端末（ＭＴ）への接続を終了すること、端末装置（ＴＥ）が移動体端末（ＭＴ）へＤＨＣＰ  ＲＥＬＥＡＳＥメッセージを送信すること、及び端末装置（ＴＥ）のパケット・データ・ネットワーク（ＰＤＮ）への接続のための設定パラメータに関するリース時間が満了することのうちのいずれかを含む。
【００２０】
本発明は更に、上述したものと同等の利点を備える移動体端末に関連する。
【００２１】
以下、図面を参照し、好適な実施形態に関連して、本発明を更に十分に説明する。
【発明を実施するための最良の形態】
【００２２】
図１は、本発明の方法を実施するのに適したネットワークアーキテクチャを示す概略図である。図１に示す典型的なアーキテクチャは、ＧＰＲＳネットワークのためのものであるが、本発明はあらゆる種類の無線ＰＤＮと共に利用可能である。ＧＰＲＳネットワークにおいては、移動局（ＭＳ）は、ＧＰＲＳのエアインタフェース（２０）を扱う移動体端末（ＭＴ）と、ＰＰＰ接続（１０）を介して有線又は無線でＭＴに接続される端末装置（ＴＥ）とを含む。エアインタフェースのＰＤＮ側には、在圏ＧＰＲＳサポートノード（ＳＧＳＮ）及びＧＰＲＳ  ＰＤＮが存在する。
【００２３】
図２ａは、本発明に従う方法１００のフロー図である。本方法は移動体端末（ＭＴ）において実行され、フローはステップ１１０から開始する。続くステップであるステップ１２０において、移動体端末（ＭＴ）は、端末装置（ＴＥ）からの起動トリガーを待ち受ける（リッスンする）。起動トリガーとして、次に例示的に列挙するものがある。
【００２４】
●例えばブルートゥース（登録商標）のＢＮＥＰ接続を起動することによって端末装置（ＴＥ）が移動体端末（ＭＴ）への接続を生成すること。
●端末装置（ＴＥ）がＤＨＣＰサーバを探していることを示すＤＨＣＰ  ＤＩＳＣＯＶＥＲメッセージを、端末装置（ＴＥ）が移動体端末（ＭＴ）へ送信すること。或いは、
●端末装置（ＴＥ）がルータを探していることを示すルータ要請(Router Solicitation)を、端末装置（ＴＥ）が送信すること。
【００２５】
これらの起動トリガーはそれぞれ、端末装置（ＴＥ）がネットワーク（例えば、インターネット）への接続を希望しており、且つ、ＩＰアドレス、及び（例えば、既定のルータ及びＤＮＳ（ドメインネームサーバ）などの）他のＩＰパラメータの設定を必要としていることを示すものとして解釈され得る。
【００２６】
ステップ１２０からフローは継続し、１３０で起動トリガーが検出されたか否かが判定される。検出されなかった場合、起動トリガーを継続してリッスンするためにフローはステップ１２０に戻る。しかしながら、起動トリガーが検出されたとステップ１３０において判定された場合、フローはステップ１４０に進み、ＰＤＰコンテキストが起動されるか否かが決定される。移動体端末（ＭＴ）のユーザは、この決定に関与することが可能である。例えば、移動体端末（ＭＴ）は、ＰＤＰコンテキストを起動すべきか否かをユーザに問い合わせること、及び起動トリガーがどこから受信された場合に端末装置を無視するかをユーザに問い合わせること、のうちの少なくとも一方を行うことができる。移動体端末（ＭＴ）は、ユーザが上述の単数又は複数の問い合わせに応答しなかった場合に、端末装置（ＴＥ）からの起動トリガーを無視するように構成されてもよい。移動体端末（ＭＴ）は、ユーザによる移動体端末（ＭＴ）の操作が端末装置（ＴＥ）からの起動トリガーを無視することを示す場合に、所定の期間内はユーザに問い合わせること無く以後のその端末装置（ＴＥ）からの起動トリガーを無視するように構成されてもよい。最後に、移動体端末（ＭＴ）は、例えば起動トリガーが１以上の特定の端末装置（ＴＥ）から受信された場合のような特定の場合に、ユーザとのいかなる対話も行うこと無く、ＰＤＰコンテキストを起動するという決定をステップ１４０において実行するように構成されてもよい。
【００２７】
ステップ１４０においてＰＤＰコンテキストを起動しないと決定された場合、フローはステップ１２０に戻る。ステップ１４０においてＰＤＰコンテキストを起動すると決定された場合、フローはステップ１５０に進み、どのＰＤＰコンテキストが起動されるかが決定される。この場合も同様に、この決定にユーザが関与可能であってもよいし、移動体端末（ＭＴ）内で自動的に、即ちユーザとの対話無しにこの決定が実行されてもよい。前者の場合の一例として、移動体端末（ＭＴ）内の種々のデータアカウントに関連するＰＤＰコンテキストのリストのうちの、どのＰＤＰコンテキストを起動すべきかを、移動体端末（ＭＴ）はユーザに問い合わせる。後者の場合の一例として、移動体端末（ＭＴ）は、ステップ１３０における起動トリガーの検出、及びステップ１４０におけるＰＤＰコンテキストを起動する決定に基づいて、予め定義されたＰＤＰコンテキストを自動的に起動するように構成されてもよい。
【００２８】
その後フローはステップ１６０に進み、ＰＤＰコンテキスト起動要求メッセージが移動体端末（ＭＴ）から、移動体端末（ＭＴ）が接続するように構成されているパケットベースの無線通信ネットワークにおけるサポートノード（ＳＧＳＮ）へ送信される。ステップ１７０においてフローは終了する。
【００２９】
上述した方法により、起動するＰＤＰコンテキストに関連するいかなる予約番号も知っていて指定するということを端末装置（ＴＥ）のユーザは要求されないという点で特にユーザフレンドリーな方法で、移動体端末（ＭＴ）に接続するように構成された端末装置（ＴＥ）によってＰＤＰコンテキストが起動され得る。更に、移動体端末（ＭＴ）に接続するように構成された端末装置（ＴＥ）は、パケットベースの無線通信ネットワークに対する端末装置（ＴＥ）におけるサポートが何ら要求されること無く、例えばＧＰＲＳやＵＭＴＳなどのパケットベースの無線通信ネットワークに移動体端末（ＭＴ）を介して接続することができる。
【００３０】
図２ｂは、本発明に従う方法１００’のフロー図である。方法１００’のステップ１１０乃至１６０は、図２ａに示す方法１００のステップ１１０乃至１６０に等しいので、ここでは改めて説明しない。図２ｂに示す方法１００’において、ステップ１８０がステップ１６０に続く。ステップ１８０では、ＰＤＰコンテキスト起動要求メッセージが移動体端末（ＭＴ）から送信された先のＧＰＲＳネットワークにおけるＳＧＳＮから、移動体端末（ＭＴ）がＰＤＰコンテキスト起動応答メッセージを受信する。受信されたＰＤＰコンテキスト起動応答メッセージは、ＰＤＰコンテキストの起動開始が成功又は失敗したことを示し、成功の場合、端末装置（ＴＥ）が移動体端末（ＭＴ）を介してパケットベースの無線通信ネットワークに接続するために、例えばＩＰアドレスなどの、設定に関するパラメータも含んでいてよい。
【００３１】
以下、ステップ１８０は成功であったと仮定し、ＰＤＰコンテキスト起動応答メッセージがＳＧＳＮによって送信されて移動体端末によって受信されたものとする。ステップ１８０が成功でなかった場合は、ステップ１８０はＰＤＰコンテキスト起動応答メッセージが移動体端末（ＭＴ）によって受信されるまで繰り返されてもよい。続くステップ１９０は、ＤＨＣＰによるアドレスの割り当てである。このステップの実行は、起動トリガーの種類と、ＳＧＳＮからの応答メッセージがＩＰアドレスを含んでいたか否かとに依存する。
【００３２】
＜トリガーがＤＨＣＰ  ＤＩＳＣＯＶＥＲメッセージであった場合＞
●ＳＧＳＮからの応答メッセージがＩＰアドレスを含んでいた場合
起動トリガーがＤＨＣＰ  ＤＩＳＣＯＶＥＲメッセージであって、ＳＧＳＮからの応答メッセージがＩＰアドレスを含んでいた場合は、移動体端末（ＭＴ）は続いてＤＨＣＰ  ＯＦＦＥＲメッセージを端末装置（ＴＥ）へ送信する。ＤＨＣＰ  ＯＦＦＥＲメッセージは、ＩＰアドレス、及びＳＧＳＮの応答メッセージに含まれていた他のあらゆるパラメータを含む。これにより、移動体端末（ＭＴ）は、端末装置（ＴＥ）のためのＤＨＣＰサーバとして機能する。
【００３３】
●ＳＧＳＮからの応答メッセージがＩＰアドレスを含んでいなかった場合
起動トリガーがＤＨＣＰ  ＤＩＳＣＯＶＥＲメッセージであって、ＳＧＳＮからの応答メッセージがＩＰアドレスを含んでいなかった場合は、移動体端末（ＭＴ）はＤＨＣＰ  ＤＩＳＣＯＶＥＲメッセージをＳＧＳＮへ中継する。続いて移動体端末（ＭＴ）がＳＧＳＮからＤＨＣＰ  ＯＦＦＥＲメッセージを受信すると、移動体端末（ＭＴ）は、このＤＨＣＰ  ＯＦＦＥＲメッセージを端末装置（ＴＥ）へ中継する。このようにして、移動体端末（ＭＴ）は、端末装置（ＴＥ）のためのＤＨＣＰサーバとして機能する。
【００３４】
＜トリガーが、移動体端末（ＭＴ）への接続を生成することであった場合＞
以下では、ブルートゥース（登録商標）接続の例を使用する。しかしながら、端末装置（ＴＥ）と移動体端末（ＭＴ）との間で生成される接続は、例えば赤外線、ＵＳＢ、或いはＷＬＡＮなどの、適切ないかなる有線又は無線による接続であってもよい。更に、端末装置（ＴＥ）と移動体端末（ＭＴ）との間の接続は適切なセキュリティによって保護されており、権限のある端末装置（ＴＥ）のみが移動体端末（ＭＴ）の仲介によりパケットベースの無線通信ネットワークへ接続することができるものとする。
【００３５】
●ＳＧＳＮからの応答メッセージがＩＰアドレスを含んでいた場合
トリガーがＢＮＥＰ接続の起動であって、ＳＧＳＮからの応答メッセージがＩＰアドレスを含んでいた場合は、移動体端末（ＭＴ）は続いて、ＳＧＳＮからの応答メッセージに含まれる、ＩＰアドレス、及び他の関連するパラメータを格納する。格納したものは、端末装置（ＴＥ）が続いてＤＨＣＰ  ＤＩＳＣＯＶＥＲメッセージを送信した時（場合）に使用するためのものである。移動体端末（ＭＴ）が端末装置（ＴＥ）からそのようなＤＨＣＰ  ＤＩＳＣＯＶＥＲメッセージを受信すると、移動体端末は、ＩＰアドレス及び（存在すれば）他の関連するパラメータを含むＤＨＣＰ  ＯＦＦＥＲ応答によって端末装置（ＴＥ）に応答しなければならない。この場合、移動体端末（ＭＴ）は、端末装置（ＴＥ）に対するＤＨＣＰサーバとして機能する。
【００３６】
●ＳＧＳＮからの応答メッセージがＩＰアドレスを含んでいなかった場合
トリガーがＢＮＥＰ接続の起動であって、ＳＧＳＮからの応答メッセージがＩＰアドレスを含んでいなかった場合は、移動体端末（ＭＴ）は、続いてくるＤＨＣＰ  ＤＩＳＣＯＶＥＲメッセージをＳＧＳＮへ中継しなければならない。続いて移動体端末（ＭＴ）がＳＧＳＮからＤＨＣＰ  ＯＦＦＥＲメッセージを受信すると、移動体端末（ＭＴ）は、このＤＨＣＰ  ＯＦＦＥＲメッセージを端末装置（ＴＥ）へ中継しなければならない。このようにして、移動体端末（ＭＴ）は、端末装置（ＴＥ）のためのＤＨＣＰサーバとして機能する。
【００３７】
ステップ１９０の完了後、端末装置（ＴＥ）は、パケットベースの無線通信ネットワークへ接続される。
【００３８】
方法１００’はステップ２００に進み、ＰＤＰコンテキストの終了(deactivation)が行われる。以下のいかなる場合も、移動体端末（ＭＴ）はＰＤＰコンテキストを終了し、端末装置（ＴＥ）に対してＤＨＣＰサーバ（或いは、ＤＨＣＰ中継局(relay)）として機能することを停止しなければならない。
【００３９】
●例えばＢＮＥＰ接続などの、移動体端末（ＭＴ）への接続を端末装置（ＴＥ）が終了した場合。
●例えば端末装置（ＴＥ）が更新を要求しなかったなどの理由で、ＩＰアドレスのリース時間が切れた場合。
●端末装置（ＴＥ）が移動体端末（ＭＴ）に対してＤＨＣＰ  ＲＥＬＥＡＳＥメッセージを送信した場合。
【００４０】
ステップ２１０において方法１００’は終了する。
【００４１】
図３は、本発明に従う、端末装置（ＴＥ）と、移動体端末（ＭＴ）と、ＰＤＮにおけるサポートノード（ＳＧＳＮ）との間の通信を示すシーケンス図である。通信の最初の部分は、端末装置によって開始される起動トリガーである。上で説明したように、この起動トリガーは、端末装置（ＴＥ）と移動体端末（ＭＴ）との間のＢＮＥＰ接続の起動であってもよいし、端末装置（ＴＥ）から送信されるＤＨＣＰ  ＤＩＳＣＯＶＥＲメッセージであってもよいし、或いは、端末装置（ＴＥ）からのルータ要請であってもよい。続いて、移動体端末（ＭＴ）は、方法１００又は方法１００’の、ステップ１３０、１４０、及び１５０を実行する。即ち、起動トリガーを検出し（ステップ１３０）、ＰＤＰコンテキストを起動するか否かを決定し（ステップ１４０）、どのＰＤＰコンテキストを起動するかを決定する（ステップ１５０）。続いて、移動体端末（ＭＴ）は、ＰＤＰコンテキスト起動要求メッセージを、在圏ＧＰＲＳサポートノード（ＳＧＳＮ）へ送信する。上で説明したように、ＳＧＳＮはＰＤＰコンテキスト起動応答メッセージを送信し、その後、移動体端末（ＭＴ）は、端末装置（ＴＥ）のためのＤＨＣＰ中継局として機能するかＤＨＣＰサーバとして機能するかに関わらず、ＤＨＣＰ  ＯＦＦＥＲメッセージを端末装置（ＴＥ）へ送信する。その後、端末装置（ＴＥ）は移動体端末（ＭＴ）を介してパケットベースの無線通信ネットワークに接続される。この接続は、破線によって図３に示されるように、事実上、どれだけの時間であっても継続可能である。最後に、端末装置のＰＤＰコンテキストへの接続は、終了トリガーを用いて終了される。そのような終了トリガーは、端末装置（ＴＥ）が移動体端末（ＭＴ）に対する接続を終了させること、端末装置（ＴＥ）が移動体端末（ＭＴ）へＤＨＣＰ  ＲＥＬＥＡＳＥメッセージを送信すること、及び、端末装置（ＴＥ）のパケット・データ・ネットワーク（ＰＤＮ）への接続のための設定パラメータに関するリース時間が満了することのうちの、少なくともいずれかであってよい。
【００４２】
図４は、本発明に従う移動体端末（ＭＴ）の構成要素の一例を示すブロック図である。図４は、端末装置（不図示）からの起動トリガーを待ち受けるように構成された待ち受け手段（ＬＳＴＭ）３０を示す。起動トリガーは、端末装置からの、ＰＤＰコンテキストを起動するという要求を示す。待ち受け手段は、決定手段（ＤＣＭ）４０に接続されている。決定手段４０は、待ち受け手段３０により端末装置から受信した起動トリガーの検出に基づき、ＰＤＰコンテキストを起動するか否かを決定し、起動する場合、どのＰＤＰコンテキストを起動するかを決定するように構成されている。決定手段４０は、例えば、メモリを備えるマイクロプロセッサであってもよい。決定手段４０は更に、送信機５０に接続されている。送信機５０は、移動体端末からパケットベースの無線通信ネットワーク（不図示）におけるサポートノードへＰＤＰコンテキスト起動要求メッセージを送信するように構成されている。従って、決定手段４０がＰＤＰコンテキストを起動するように決定すると、送信機５０に対し、ＰＤＰコンテキスト起動要求メッセージを送信する命令或いは指示を送信する。送信が成功した場合、パケットベースの無線通信ネットワークにおけるサポートノードから送信されたＰＤＰコンテキスト起動応答メッセージが、移動体端末内の受信機（ＲＣＶ）６０によって受信され得る。受信機６０は、決定手段４０に接続されている。
【００４３】
好ましくは、移動体端末（ＭＴ）は更に、ディスプレイ（ＤＳＰＬ）８０、及び例えばキーボード、キーパッド、タッチパネル(touch sensitive screen)などのユーザインタフェース（ＵＩ）９０を含む。ディスプレイ８０及びＵＩ９０は共に決定手段に接続されており、決定手段４０は、例えばＰＤＰコンテキストを起動するか否かとどのＰＤＰコンテキストを起動するかとのうちの少なくとも一方に関して、（もしあれば）ユーザに入力を求めることができる。更に、移動体端末は好ましくは、決定手段４０及び受信機６０に接続された終了手段７０を備える。終了手段７０は、移動体端末（ＭＴ）において終了トリガーを受信すると、移動体端末（ＭＴ）においてＰＤＰコンテキストを終了するように構成されている。終了トリガーは、終了トリガーの種類に依存して、受信機６０又は待ち受け手段３０によって受信され得る。
【００４４】
上述した構成要素は独立した構成要素として記載されているが、あらゆる構成要素は、適切であれば一体に統合されてもよい。例えば、送信機５０及び受信機６０は、１つのアンテナに統合されてもよい。
【００４５】
ここで使用されているように、「移動体端末」という用語は、あらゆる移動可能な又は携帯可能なデバイスを参照するように意図されており、例えば移動体電話、ページャ、コミュニケータ（即ち、電子手帳、スマートフォンなど）などの通信手段を含むことに注意されたい。更に、「含む／含んでいる(comprises/comprising)」という用語は、本明細書において使用される場合、言及された特徴、整数、ステップ、或いは構成要素の存在を明示するために記載されているが、１以上の他の特徴、整数、ステップ、構成要素、又はそれらの集合の存在或いは追加を排除するものではないということを強調しておく。
【図面の簡単な説明】
【００４６】
【図１】本発明の方法を実施するのに適したネットワークアーキテクチャを示す概略図である。
【図２ａ】本発明に従う方法のフロー図である。
【図２ｂ】本発明に従う方法のフロー図である。
【図３】本発明に従う、端末装置と、移動体端末と、ＰＤＮにおけるサポートノードとの間の通信を示すシーケンス図である。
【図４】本発明に従う移動体端末の構成要素の一例を示すブロック図である。
【図１】
2008511222.tif 000003
【図２ａ】
2008511222.tif 000004
【図２ｂ】
2008511222.tif 000005
【図３】
2008511222.tif 000006
【図４】
2008511222.tif 000007
【国際調査報告】
2008511222.tif 000008
2008511222.tif 000009
2008511222.tif 000010